(57)【要約】【課題】プラズマディスプレイ装置において、パネルの自己発熱に起因するパネル破壊を防止することを目的とする。【解決手段】少なくとも前面側が透明な一対の基板を基板間に放電空間が形成されるように対向配置するとともに基板に電極群を配置したパネル１０と、シャーシ部材に配置されかつ前記パネルに信号を印加して表示を行う表示駆動回路ブロックとを有し、前記パネル１０の画面有効領域外２３の端部の少なくとも一辺に発熱素子２４を配設した。【選択図】　図２
2004093859.tif 000002
【特許請求の範囲】
【請求項１】
少なくとも前面側が透明な一対の基板を基板間に放電空間が形成されるように対向配置するとともに基板に電極群を配置したパネルと、シャーシ部材に配置されかつ前記パネルに信号を印加して表示を行う表示駆動回路ブロックとを有し、前記パネルの画面有効領域外の端部の少なくとも一辺に発熱素子を配設したことを特徴とするプラズマディスプレイ装置。
【発明の詳細な説明】
【０００１】
【発明の属する技術分野】
本発明は、大画面で、薄型、軽量のディスプレイ装置として知られているプラズマディスプレイ装置に関するものである。
【０００２】
【従来の技術】
このプラズマディスプレイ装置では、ガス放電により紫外線を発生させ、この紫外線で蛍光体を励起して発光させカラー表示を行っている。そして、基板上に隔壁によって区画された表示セルが設けられており、これに蛍光体層が形成されている構成を有する。
【０００３】
このプラズマディスプレイ装置には、大別して、駆動的にはＡＣ型とＤＣ型があり、放電形式では面放電型と対向放電型の２種類があるが、高精細化、大画面化および製造の簡便性から、現状では、プラズマディスプレイ装置の主流は、３電極構造の面放電型のもので、その構造は、一方の基板上に平行に隣接した表示電極対を有し、もう一方の基板上に表示電極と交差する方向に配列されたアドレス電極と、隔壁、蛍光体層を有するもので、比較的蛍光体層を厚くすることができ、蛍光体によるカラー表示に適している。
【０００４】
このようなプラズマディスプレイ装置は、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。
【０００５】
まず、プラズマディスプレイ装置におけるプラズマディスプレイパネルの構造について図６を用いて説明する。図６に示すように、ガラス基板などの透明な前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【０００６】
また、前記前面側の基板１に対向配置される背面側の基板５上には、スキャン電極及びサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面およびオーバーコート層６の表面に蛍光体層９が設けられている。
【０００７】
これらの基板１と基板５とは、スキャン電極およびサステイン電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色及び青色となるように蛍光体層９が一色ずつ順次配置されている。
【０００８】
図７にこのプラズマディスプレイパネルの電極配列を示しており、図７に示すようにスキャン電極およびサステイン電極とアドレス電極とは、Ｍ行×Ｎ列のマトリックス構成であり、行方向にはＭ行のスキャン電極ＳＣＮ１〜ＳＣＮＭおよびサステイン電極ＳＵＳ１〜ＳＵＳＭが配列され、列方向にはＮ列のアドレス電極Ｄ１〜ＤＮが配列されている。
【０００９】
このような電極構成のプラズマディスプレイパネルにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【００１０】
図８に上記で説明した構造のパネルを組み込んだプラズマディスプレイ装置の全体構成の一例を示している。図において、パネル１０を収容する筐体は、前面枠１１と金属製のバックカバー１２とから構成され、前面枠１１の開口部には光学フィルターおよびパネル１０の保護を兼ねたガラス等からなる前面カバー１３が配置されている。また、この前面カバー１３には電磁波の不要輻射を抑制するために、例えば銀蒸着が施されている。さらに、バックカバー１２の上部および下部には、パネル１０等で発生した熱を外部に放出するための複数の通気孔１２ａが設けられている。
【００１１】
前記パネル１０は、アルミニウム等からなるシャーシ部材１４の前面に熱伝導シート１５を介して接着することにより保持され、そしてシャーシ部材１４の後面側には、パネル１０を表示駆動させるための複数の回路ブロック１６が取り付けられている。前記熱伝導シート１５は、パネル１０で発生した熱をシャーシ部材１４に効率よく伝え、放熱を行うためのものである。また、回路ブロック１６はパネル１０の表示駆動とその制御を行うための電気回路を備えており、パネル１０の縁部に引き出された電極引出部に、シャーシ部材１４の四辺の縁部を越えて延びる複数のフレキシブル配線板（図示せず）によって電気的に接続されている。
【００１２】
また、シャーシ部材１４の後面には、回路ブロック１６を取り付けたり、バックカバー１２を固定するためのボス部１４ａがダイカスト等による一体成型により突設されている。なお、このシャーシ部材１４は、アルミニウム平板に固定ピンを固定して構成してもよい。
【００１３】
【発明が解決しようとする課題】
しかし、このようなプラズマディスプレイ装置においては、パネルの画面有効領域の発光している部分が自己発熱し、この自己発熱によりパネルの画面有効領域外の端部に熱応力が加わり、この熱応力が原因でパネルを構成するガラス基板に歪があった場合、パネルが破壊する恐れがあった。
【００１４】
本発明はこのような現状に鑑みなされたもので、パネルの自己発熱に起因するパネル破壊を防止することを目的とするものである。
【００１５】
【課題を解決するための手段】
上記目的を達成するために本発明のプラズマディスプレイ装置は、パネルの画面有効領域外の端部の少なくとも一辺に発熱素子を配設したものである。
【００１６】
【発明の実施の形態】
すなわち、本発明の請求項１記載の発明は、少なくとも前面側が透明な一対の基板を基板間に放電空間が形成されるように対向配置するとともに基板に電極群を配置したパネルと、シャーシ部材に配置されかつ前記パネルに信号を印加して表示を行う表示駆動回路ブロックとを有し、前記パネルの画面有効領域外の端部の少なくとも一辺に発熱素子を配設したことを特徴とする。
【００１７】
以下、本発明の一実施の形態によるプラズマディスプレイ装置について、図１〜図５を用いて説明するが、本発明の実施の態様はこれに限定されるものではない。
【００１８】
図１に本発明の一実施の形態によるプラズマディスプレイ装置のパネル部分の平面図を示し、図２に図１のＡ−Ａ線で切断した断面図を示しており、図６〜図８に示す部分と同一箇所については同一番号を付している。
【００１９】
図１、図２に示すように、プラズマディスプレイ装置のパネル部分は、スキャン電極とサステイン電極とで対をなすストライプ状の表示電極２が複数列形成され、そしてその電極群を覆うように誘電体層３、保護膜４が形成されたガラス基板などの透明な前面側の基板１と、複数列のストライプ状のアドレス電極７、複数の隔壁８および蛍光体層９が設けられた背面側の基板５とを対向配置し、これらの基板１、５の周囲をガラスフリットなどの封着部材２１で封止するとともに、内部の放電空間に放電ガスを封入した構成であり、封着部材２１の内側が画面有効領域２２となり、封着部材２１の外側が画面有効領域外２３となる。
【００２０】
そして、本発明では、そのパネルの画面有効領域外２３における背面側基板５の下端部に発熱素子２４を配設したものである。
【００２１】
今、図３に示すように、画面有効領域２２において、白黒表示を行なった場合、黒部はプラズマ放電がなく発光しないため、自己発熱がないが、白部はプラズマ放電により発光して自己発熱し、またその発熱量は明るさに比例する。そして、自己発熱している白部の領域では、パネルのガラス基板に対して圧縮応力が働き、白表示の下部の画面有効領域外２３では、ガラス基板に対して引張り応力が働くこととなり、これによりガラス基板に対して熱応力が作用する。また、周知のように、ガラス基板は引張り応力に対して弱く、破壊しやすい特性を有する。
【００２２】
この様子を図４に示しており、図４において、縦軸は熱応力値を示し、横軸は白表示下部の画面有効領域外２３のガラス基板の長辺の位置を示している。この図４に示すように、白表示下部の画面有効領域外２３のガラス基板の長辺において、ほぼ中央部に熱応力値のピークが存在し、その熱応力値がガラス基板の応力許容値を超えてしまうと、ガラス基板の端部に存在する数十ミクロンから数百ミクロンの微小な傷を基点としてガラス基板が破壊してしまう。
【００２３】
本発明においては、パネルの画面有効領域外２３における背面側基板５の下端部に発熱素子２４を配設し、その画面有効領域外２３のガラス基板端部の温度を上げるもので、ガラス基板の端部に加わる熱応力を緩和し、ガラス基板が破壊するのを防ぐことができる。すなわち、ガラス基板の端部に作用する熱応力値は、自己発熱が同等でも、図３における画面有効領域２２の点Ａと画面有効領域外２３の点Ｂとの温度差に比例するため、画面有効領域外２３のガラス基板端部の温度を上げることでガラス基板に作用する熱応力値を減らすことができる。
【００２４】
また、図８で説明したように、筐体を構成するバックカバー１２の上部および下部には通気孔１２ａが設けられているため、下部の通気孔１２ａより内部に導入された温度の低い空気は内部の温度を吸熱して上部の通気孔１２ａより外部に排出されるため、パネル下部のガラス基板端部において、画面有効領域２２との温度差が大きくなる。
【００２５】
したがって、本発明においては、少なくともパネル下部の画面有効領域外２３の端部に発熱素子２４を配置するように構成している。この発熱素子２４としては、ヒーターを耐熱性のフィルムで挟んだシート状のものを直接パネルに貼り付けることにより配設すればよい。
【００２６】
また、この発熱素子の他の例として、図５に示すように、パネルを表示駆動させる回路ブロック２５の放熱板２６に熱伝導シート２７を配置し、その熱伝導シート２７の一端をパネルの背面側の基板５の端部まで引き回して貼り付けることにより発熱素子としてもよい。
【００２７】
【発明の効果】
以上の説明から明らかなように本発明によるプラズマディスプレイ装置によれば、発光に伴い発生する自己発熱による熱応力を減らすことができ、これによりガラス基板の破壊を防ぐことができる。しかも、熱応力によるガラス基板の破壊を防ぐためにパネルでの発光、すなわち輝度を抑制していたが、その許容量を増加できることによりパネルの輝度を上げることが可能となるという効果も得られる。
【図面の簡単な説明】
【図１】本発明の一実施の形態によるプラズマディスプレイ装置のパネルの概略構成を示す平面図
【図２】図１のＡ−Ａ線で切断した断面を示す概略構成図
【図３】プラズマディスプレイ装置のパネルの熱応力を説明するための説明図
【図４】ガラス基板に作用する熱応力値を説明するための説明図
【図５】本発明の他の実施の形態によるプラズマディスプレイ装置のパネルの要部構成を示す概略構成図
【図６】プラズマディスプレイ装置のパネルの概略構成を示す斜視図
【図７】同プラズマディスプレイ装置のパネルの電極配列を示す説明図
【図８】同プラズマディスプレイ装置の内部の配置構造を示す分解斜視図
【符号の説明】
１０　パネル
２１　封着部材
２２　画面有効領域
２３　画面有効領域外
２４　発熱素子
２７　熱伝導シート
【図１】
2004093859.tif 000003
【図２】
2004093859.tif 000004
【図３】
2004093859.tif 000005
【図４】
2004093859.tif 000006
【図５】
2004093859.tif 000007
【図６】
2004093859.tif 000008
【図７】
2004093859.tif 000009
【図８】
2004093859.tif 000010